(57)【特許請求の範囲】
【請求項１】
保冷具（１０）が、布資材による保冷具主体（１００）と該保冷具主体（１００）の芯材となるプラスチック製のＣ字型芯材（２００）とからなり、
上記保冷具主体（１００）は、表面側主体（１０１）と裏面側主体（１０２）及びこれら部材の間に吸水機能を有する吸水繊維材（１０３）を積層するとともに上記裏面側主体（１０２）にポケット蓋体（１０６）を重合してこれら各部材を縫製結合したものであり、
上記Ｃ字型芯材（２００）は、Ｃ字の開口部に直線形状部（２００ａ）を形成して上記保冷具主体（１００）内に収容したものであり、
上記ポケット蓋体（１０６）と上記保冷具主体（１００）との間に設けられた保冷材収容室（１１１）は、保冷パック剤（１１０）を選択的に収容し、
上記保冷具主体（１００）は、上記表面側主体（１０１）と上記裏面側主体（１０２）との間に芯材収容室（１０８）を設け、
上記芯材収容室（１０８）は、上記表面側主体（１０１）と上記裏面側主体（１０２）とを縫製結合する周縁逢着部と、上記保冷具主体（１００）の長手方向に延びる中央逢着部と、によって形成され、
上記Ｃ字型芯材（２００）は、上記芯材収容室（１０８）に開口する芯材挿入口（１０９）から当該芯材収容室（１０８）の長手方向に沿って挿入して収容したことを特徴とする人の首部に使用する保冷具。
【請求項２】
ポケット蓋体（１０６）は、保冷具主体（１００）よりも若干短く形成して上記保冷具主体（１００）に重合し、これら部材の周縁部を周縁縫着部（１０７）により縫製結合したものであり、上記ポケット蓋体（１０６）の長手方向の両端部に形成した保冷材挿入口（１１２）から２個の保冷パック剤（１１０）を選択的に保冷材収容室（１１１）に挿入して分断された状態で収容することを特徴とする請求項１に記載の人の首部に使用する保冷具。
【発明の詳細な説明】
【技術分野】
【０００１】
本発明は、人の首部に装着して首周りを冷却する保冷具に関している。
【背景技術】
【０００２】
帯状に形成された布地体の中に吸水性を有する高分子ポリマーと平面視Ｃ字状の弾性体を収容し、弾性体をプラスチックなどで形成することにより一定の形状を保持することを可能にしたことで、紐などを使用しなくても人の首部に装着できるようにした保冷装身具が特許文献１に記載されている。
【０００３】
特許文献１に記載の保冷装身具は、第１布地体１０と第２の布地体１１と第３布地体１２とがいずれも帯状に形成されたものであり、これら部材の全周領域を縫着し、第１及び第２布地体１０，１１により形成された閉鎖空間に収容する粒状の吸水性樹脂３と、第２及び第３布地体１１，１２により形成された閉鎖空間に収容するＣ字状の弾性体２とからなり、当該保冷装身具に水を含ませた状態で首に巻き付け、その水が蒸発するときの気化熱の作用で清涼感を感じるようにしたものである。
【０００４】
特許文献１の保冷装身具は、それまで知られていた従来の保冷具が布状資材のみで形成されていたので、紐などを使用しないと安定よく首周りに装着することができなかったものを、保冷具内に形状記憶樹脂や通常の合成樹脂あるいは金属によるＣ字状の弾性体を備えることによって、保冷具の形状を安定させることに成功し首周りに装着しやすくしたものである。
【０００５】
しかし、特許文献１の保冷装身具は、保冷具の形状を安定させるＣ字状の弾性体が、文字どおりＣ字状に形成されているだけであったので、弾性体の開口部先端に形成される先鋭部が互いに向い合った状態で対峙しているものであった。このため、保冷装身具を首周りに装着したとき、開口部先端が首部に食い込むように感じられ、必ずしも心地よい装着感が得られるものではなかった。
【０００６】
この他、特許文献１の保冷装身具は、清涼感を得る吸水性樹脂が粒状であるから、布地体の中に収容されたときに空間内を自由に移動してしまうことがあり、保冷部材が偏ってしまうといった問題もあった。
【０００７】
【特許文献１】実用新案登録第３１６７４０５号公報
【発明の開示】
【発明が解決しようとする課題】
【０００８】
本発明が解決しようとする課題は、人の首部に装着する保冷具であって、保冷具の開口部が首部に食い込まないようにして心地よい装着感を得るとともに、保冷部材は、保冷具主体に縫着結合した吸水繊維材と選択的に収容する保冷パック剤の双方が使用できるものであり、特に夏期の期間に好適な保冷具を提供することを目的としている。
【課題を解決するための手段】
【０００９】
解決手段の第１は、保冷具が、布資材による保冷具主体と該保冷具主体の芯材となるプラスチック製のＣ字型芯材とからなり、上記保冷具主体は、表面側主体と裏面側主体及びこれら部材の間に吸水機能を有する吸水繊維材を積層するとともに上記裏面側主体にポケット蓋体を重合してこれら各部材を縫製結合したものであり、上記Ｃ字型芯材は、Ｃ字の開口部に直線形状部を形成して上記保冷具主体内に収容したものであり、上記ポケット蓋体（１０６）と上記保冷具主体（１００）との間に設けられた保冷材収容室（１１１）は、保冷パック剤（１１０）を選択的に収容し、上記保冷具主体（１００）は、上記表面側主体（１０１）と上記裏面側主体（１０２）との間に芯材収容室（１０８）を設け、上記芯材収容室（１０８）は、上記表面側主体（１０１）と上記裏面側主体（１０２）とを縫製結合する周縁逢着部と、上記保冷具主体（１００）の長手方向に延びる中央逢着部と、によって形成され、上記Ｃ字型芯材（２００）は、上記芯材収容室（１０８）に開口する芯材挿入口（１０９）から当該芯材収容室（１０８）の長手方向に沿って挿入して収容したことを特徴とするものである。
【００１１】
解決手段の第２は、解決手段の第１において、ポケット蓋体（１０６）は、保冷具主体（１００）よりも若干短く形成して上記保冷具主体（１００）に重合し、これら部材の周縁部を周縁縫着部（１０７）により縫製結合したものであり、上記ポケット蓋体（１０６）の長手方向の両端部に形成した保冷材挿入口（１１２）から２個の保冷パック剤（１１０）を選択的に保冷材収容室（１１１）に挿入して分断された状態で収容することを特徴とするものである。
【発明の効果】
【００１２】
請求項１は、保冷具内に組み込む吸水繊維材が、高吸水機能を有する布資材であって、表面側主体と裏面側主体との間に縫製結合されているものであるから、保冷部材たる吸水繊維が使用中に偏ったりすることがなく安定した状態で使用できる効果がある。また、保冷具の芯材となるＣ字型芯材が、Ｃ字の開口部に直線形状部が形成されているので、開口部分が互いに対峙しないものであり、保冷具の使用中に開口部が首部に食い込むように感じることがなく、不快感を伴わずに使用できることの効果を奏するものである。
【００１３】
請求項２は、芯材収容室にＣ字型芯材を挿入するための芯材挿入口を設けたものであるから、保冷具を縫製結合した後であってもＣ字型芯材を芯材収容室に収容できるものであって、保冷具の組立てが容易になることの効果を奏するものである。
【００１４】
請求項３は、ポケット蓋体の内側部分が保冷材収容室に形成され、ここに保冷パック剤を選択的に収容できるので、保冷部材として吸水繊維だけでなく選択的に保冷パック剤が使用でき、保冷効果が高い保冷具が得られることの効果を奏するものである。
【図面の簡単な説明】
【００１５】
【図１】本発明に係る保冷具を組立てた全体の斜視図。
【図２】保冷具全体の縦断面図。
【図３】保冷具主体の部材を示しており、(Ａ)は表面側部材の斜視図、(Ｂ)は吸水繊維材の斜視図、(Ｃ)は裏面側部材の斜視図、(Ｄ)はポケット蓋体の斜視図。
【図４】縫製された保冷具主体を示しており、(Ａ)は表面図、(Ｂ)は裏面図。
【図５】Ｃ字型芯材を示しており、(Ａ)は斜視図、(Ｂ)は平面図。
【発明を実施するための形態】
【００１６】
これらの図において、保冷具１０は、布資材による保冷具主体１００と、保冷具主体１００の芯材となるプラスチック製のＣ字型芯材２００とからなり、全体が細長形状に形成されている。
【００１７】
上記保冷具主体１００は、同じ形状に形成された表面側主体１０１と裏面側主体１０２及び吸水繊維材１０３を有し、表面側主体１０１と裏面側主体１０２の間に吸水繊維材１０３を積層し、積層された状態で長さ方向に対して平行する第１の中央縫着部１０４及び第２の中央縫着部１０５によりこれらの部材を縫製結合し、さらに、裏面側主体１０２よりも若干短く形成したポケット蓋体１０６を上記裏面側主体１０２に重合し、当該ポケット蓋体１０６を含む上記各部材の周縁部を周縁縫着部１０７により縫製結合したものである。なお、ポケット蓋体１０６の両端は縫着しないで開放状態のままとしている。
【００１８】
上記吸水繊維材１０３は、上記表面側主体１０１と上記裏面側主体１０２との間に積層したものであって、高吸水機能を有する繊維がよく、一例として、帝人ファイバー株式会社の「ベルオアシス（商標）」が好適である。
【００１９】
上記保冷具主体１００は、周縁縫着部１０７の内側部分を長手方向に平行する第１の中央縫着部１０４と第２の中央逢着部１０５の２本の中央縫着部によって縫製結合しているが、保冷具主体１００に収容するＣ字型芯材２００の幅が当該保冷具主体１００よりも狭いので、第１の中央縫着部１０４と周縁縫着部１０７とによって形成される空所を芯材収容室１０８とするものである。このため、芯材収容室１０８は、少なくとも１本の中央縫着部（１０４）があれば形成することができる。図中、１０９は芯材収容室１０８へＣ字型芯材２００を挿入するための芯材挿入口である。
【００２０】
上記ポケット蓋体１０６は、長手方向に平行する両側部が周縁縫着部１０７によって保冷具主体１００に結合されたものであって、当該ポケット蓋体１０６と裏面側主体１０２との間に形成された空所に保冷パック剤１１０を選択的に収容する保冷材収容室１１１が形成されている。図中、１１２はポケット蓋体１０６の長手方向の両端部に形成された保冷材挿入口であり、保冷パック剤１１０を上記保冷材収容室１１１に挿入するためのものである。
【００２１】
上記保冷パック剤１１０は、吸水させた状態で冷凍することができ、冷凍後に常温に放置すると冷気を放熱するものであって、冷凍及び放熱を繰り返して行うことができるものである。なお、保冷パック剤１１０は、専用保冷材でなくても、例えば、スーパーマーケット等で生鮮食材の販売に使用している保冷剤（繰り返して使用できるもの）が利用できるものである。
【００２２】
上記Ｃ字型芯材２００は、保冷具主体１００の形状を維持するためのプラスチック製芯材であって、平面視でＣ字形状を呈しているが、図５に示すように、Ｃ字の開口部は先端部に向って直線形状部２００ａが形成されているので、開口部の先端部分が互いに対峙しない形状であるから、保冷具１０を首部に使用したとき、開口部の先端部分が首部に食い込むように感じることがなく不快感を伴わずに使用できるようになっている。なお、Ｃ字型芯材２００は、芯材挿入口１０９から芯材収容室１０８に差し込んで収容する。
【００２３】
上記表面側主体１０１と裏面側主体１０２及びポケット蓋体１０６は、布状資材であればプラスチック繊維又は綿素材のいずれも適している。ただし、裏面側主体１０２及びポケット蓋体１０６は、肌に直接触れるものであるから肌触りのよい素材が好ましい。
【００２４】
本発明の保冷具１０は、上記の構成からなるものであって、表面側主体１０１と裏面側主体１０２の間に吸水繊維材１０３を積層し、予めこれらの部材を第１及び第２の中央縫着部１０４，１０５によって縫製結合をした後、裏面側主体１０２にポケット蓋体１０６を重合して保冷具主体１００の全周縁を周縁縫着部１０７によって縫製結合をする。次いで、芯材挿入口１０９からＣ字型芯材２００を芯材収容室１０８に差し込んで保冷具１０を完成する。
【００２５】
次に、本発明の保冷具１０を使用するには、まず、保冷具全体を水に漬け、吸水繊維材１０３に充分水を含ませてから水が垂れない程度に軽く絞り、また、必要に応じて保冷材収容室１１１に保冷パック剤１１０を収容し、保冷具が開口している方を前に向けて人の首部に装着する。
【００２６】
保冷具１０の形状を維持するＣ字型芯材２００は、Ｃ字の開口部に直線形状部２００ａが形成されていて芯材の先端開口部が対峙していないから、保冷具を首部に装着したときに開口端が首部に食い込むことがなく心地よい装着感が得られるものとなる。
【００２７】
保冷具１０は、吸水繊維材１０３に水を含ませたときに、他の部材（１０１，１０２，１０４）にも水が含まれるので、保冷具を首部に装着するとこれらの部材からも水が蒸発して気化熱作用を奏して清涼感を得ることができるが、本発明の吸水繊維材１０３は、高吸水機能を有する繊維であって気化熱効果が長時間作用する繊維であるから、心地よい清涼感を長時間に亘って得ることができるものである。これに加えて、本発明は、ポケット蓋体１０６によって保冷材収容室１１１を形成しているから、上記保冷材収容室１１１に選択的に保冷パック剤１１０を収容することで、さらに効果的な清涼感を得ることができるようになっている。
【００２８】
ここで、保冷パック剤１１０は２個を使用し、ポケット蓋体１０６の長手方向の両端部から１個ずつ保冷材収容室１１１に挿入すると、保冷パック剤１１０が保冷材収容室１１１内で分断された状態で収容されたことになる。このため、保冷具１０を首部に使用したときに、Ｃ字形に湾曲した本体形状に沿って首部に装着されるので、保冷具１０が首部に対して隙間なく装着されることになり保冷効果が高まる。なお、保冷パック剤１１０は、冷凍してから使用するものであって、充分な吸水をさせたのち冷凍庫で３〜４時間冷凍してから使用する。
【実施例】
【００２９】
保冷具主体１００は、全体の長さが凡そ３０〜３４ｃｍ、最大幅が６〜７ｃｍであり、両端に向って幅がやや狭く形成されており、いずれも、長手方向の端部は円弧状に形成されている。また、ポケット蓋体１０６は、長さが凡そ２０〜２２ｃｍである。ただし、幅は保冷具主体１００と同じである。
【００３０】
Ｃ字型芯材２００は、全体の長さが凡そ３０〜３２ｃｍ、幅が１.６ｍｍ程度である。なお、Ｃ字の開口部に形成した直線形状部２００ａの長さは、開口端から３０〜４０ｍｍ程度である。
【符号の説明】
【００３１】
１０  保冷具
１００  保冷具主体
１０１  表面側主体
１０２  裏面側主体
１０３  吸水繊維材
１０４  第１の中央縫着部
１０５  第２の中央縫着部
１０６  ポケット蓋体
１０７  周縁縫着部
１０８  芯材収容室
１０９  芯材挿入口
１１０  保冷パック剤
１１１  保冷材収容室
１１２  保冷材挿入口
２００  Ｃ字型芯材
【図１】
0005808274.tif 000002
【図２】
0005808274.tif 000003
【図３】
0005808274.tif 000004
【図４】
0005808274.tif 000005
【図５】
0005808274.tif 000006